(57)【要約】【課題】従来のカードホルダーは、構造が複雑で、部品が多数必要でコスト高であり、カードの挿入操作ではカードの挿入方向が決まっており縦方向以外挿入は不可能であった。  カード挿入操作や抜き取り操作ではカード表面側から指で押さえ付けるという余分な力を必要としスライドしていた。また、カード挿入口の大きさが決まっており挿入しにくかった。【解決手段】カードホルダー本体にカードを挟む部分（以降圧挟部）、圧挟部にカードを導くためのガイド部および平面と斜曲面からなるカードの端部を収納する端部収納室から構成され貼付等固定可能とすることにより手早くカードを取り出すことができ、また、カードの方向を気にせず挿入保持ができる。【選択図】図１
2012111471.tif 000002
【特許請求の範囲】
【請求項１】
カードホルダー本体にカードを挟む部分（以降圧挟部）、圧挟部にカードを導くためのガイド部および平面と斜曲面（斜めの面と曲面が含まれる面で構成されたもの）からなるカードの端部を収納する端部収納室から構成され貼付等固定が可能なカードホルダー。
【請求項２】
圧挟部の凸部が片方のみの請求項１のカードホルダー。
【請求項３】
請求項１及び請求項２にサンバイザー等に取付けが可能な取付け具を設けたカードホルダー。
【発明の詳細な説明】
【技術分野】
【０００１】  本発明は、駐車カードや会員カードあるいはポイントカード等、カード類の保持に関するものである。
【背景技術】
【０００２】  従来のカードホルダーには、特許文献１のようにカードを板バネ状の弾性部材とアッパー壁部に圧接し保持するカードホルダーや特許文献２のような凹部の底面に板バネ状の弾性保持部とプレートの裏面に挟持するカードホルダーがある。【０００３】  以下従来のカードホルダーについて説明する。
特許文献１のカードホルダーはカードの抜き取りが簡単で、カードの横ずれも防止でき、カードの幅寸法の挿入口から縦方向で挿入し壁部と圧接されてカードを保持していた。【０００４】  特許文献２のカードホルダーは、カードの抜き出し操作でカードの表面側から指で押さえ付けながら一方向に凹部から出るまでスライドさせて抜き出していた。【０００５】  カードの挿入操作では、カードを指で押さえながら凹部底面へ縦方向でスライドさせ挿入していた。【０００６】
【特許文献１】特開平１０−２５８６６８
【特許文献２】特開２００７−３０５８７
【発明の開示】
【発明が解決しようとする課題】
【０００７】  しかし、特許文献１のカードホルダーは構造が複雑で、部品が多数必要となるためコスト高となることが明白である。【０００８】  カードの挿入操作ではカードの挿入方向が決まっており縦方向以外挿入は不可能であった。【０００９】  また、自動車のグローブボックスやその他の乗り物、家具、事務機その他のものにも同様に適用とは記載されているが、このように構造が複雑過ぎては薄型になりえず設置場所についても制約を受け固定方法も複雑となるため適用するには難しい。【００１０】  特許文献２のカードホルダーについても、カード抜き取り操作ではカード表面側から指で押さえ付けるという余分な力が必要であることや、カード挿入操作でもカード挿入口がカードの幅より若干広い幅に設定されていて特許文献１のカードホルダー同様カードの挿入方向が決まっており縦方向以外挿入は不可能であった。【００１１】  これでは、カードを手早く取り出せても、挿入操作では手早く挿入することは難しい。【００１２】  本発明は従来のカードホルダーの欠点を排除するため、構造が簡単で、カード表面側から指で押さえ付けるという余分な力を必要とせず、手早くカードを取り出しカードの縦横方向を気にせずカードの保持を目的するものである。
【課題を解決するための手段】
【００１３】  本発明は上記課題を解決するために、請求項１の発明はカードホルダー本体にカードを挟む部分（以降圧挟部）、圧挟部にカードを導くためのガイド部および平面と斜曲面（斜めの面と曲面が含まれる面で構成されたもの）からなるカードの端部を収納する端部収納室から構成され貼付等固定が可能なことを特徴とする。【００１４】  請求項２の発明は圧挟部の凸部が片方のみの請求項１のカードホルダー。【００１５】  請求項３の発明は請求項１及び請求項２にサンバイザー等に取付けが可能な取付け具を設けたカードホルダー。【００１６】  請求項１の発明による作用は、カードの一端は圧挟部で挟まれ、端部収納室に収まるがカードの端部が斜曲面に沿って平面部に近づくにつれ、もう一端はガイド部との間に空間ができ、とっさの場合でもカードをつかみやすく手早くカードを引き抜くことができる。しかも構造が簡単に構成されている。【００１７】  引き抜く際は一方向に限らず平面的な斜め方向に引き抜くことも可能で、また、カードの挿入操作では、カードが平面的に縦方向、横方向あるいは斜め方向であってもカードの端部さえ挟まれば保持することができる。【００１８】  請求項２の発明による作用は、圧挟部の凸部が片側のみとしたものでさらに薄型を可能とすることができる。【００１９】  請求項３の発明による作用は、請求項１及び請求項２にサンバイザー等に取付けが可能な取付け具を設けたものでサンバイザー等に設置可能としたものである。
【発明の効果】
【００２０】  請求項１の発明によれば上述したようにカードが平面的に縦方向、横方向あるいは斜め方向であってもカードの端部さえ挟まれば保持することができる。【００２１】  また、カードの端部のみを挟み、カードの端部が端部収納室に収まる際にカードの端部が斜曲面に沿って平面部に近づくにつれカードのもう一端はガイド部との間に空間ができカードを指で取りやすくカード表面側から指で押さえ付けるという余分な力が不要となり、また、カードの縦横方向を気にすることなく手早くカードを挿入することができる。【００２２】  請求項２の発明によれば圧挟部の凸部を片側のみとしたことにより薄型となるため設置場所の選択肢も増える。【００２３】  請求項３の発明によれば請求項１及び請求項２にサンバイザー等に取付けが可能な取付け具を設けたものでサンバイザー等に設置可能となる。
【発明を実施するための最良の形態】
【００２４】  以下、本発明の実施形態の例について各図に基づいて説明する。
図１において、１の本体、２の圧挟部で、３のガイド部、４の端部収納室、図６において５のサンバイザー等取付け具を設けたもので構成されている。【００２５】  以下、上記の動作を説明する。
カードを取り出す時は圧挟部２で挟まれたカードのもう一端はガイド部３との間に空間があるためカードを抜き取りやすく、また、平面的な縦方向横方向斜め方向でも抜き取り可能であり、カードを保持する時は、平面的な縦方向や斜め方向でもガイド部３にカードを沿わせるように圧挟部２に向けて押し込みカード端部は端部収納室４で止まり最終的にはカードは挟まり保持される。
【図面の簡単な説明】
【００２６】
【図１】  本発明の斜視図である。（圧挟部：上下凸部有り）
【図２】  本発明の側面図である。（圧挟部：上下凸部有り）
【図３】  本発明のカード挿入時の側面図である。（圧挟部：上下凸部有り）
【図４】  本発明の側面図である。（圧挟部：下凸部有り）
【図５】  本発明のカード挿入時の側面図である。（圧挟部：下凸部有り）
【図６】  本発明の斜視図である。（取付け具付き（圧挟部：上下凸部有り））
【図７】  本発明の側面図である。（取付け具付き（圧挟部：上下凸部有り））
【図８】  本発明のカード挿入時の側面図である。（取付け具付き（圧挟部：上下凸部有り））
【図９】  本発明の側面図である。（取付け具付き（圧挟部：下凸部有り））
【図１０】  本発明のカード挿入時の側面図である。（取付け具付き（圧挟部：下凸部有り））
【図１１】  本発明の斜視図である。（カード保持状態（圧挟部：上下凸部有り））
【符号の説明】
【００２７】１  本体
２  圧挟部
３  ガイド部
４  端部収納室
５  サンバイザー等取付け具
６  カード
【図１】
2012111471.tif 000003
【図２】
2012111471.tif 000004
【図３】
2012111471.tif 000005
【図４】
2012111471.tif 000006
【図５】
2012111471.tif 000007
【図６】
2012111471.tif 000008
【図７】
2012111471.tif 000009
【図８】
2012111471.tif 000010
【図９】
2012111471.tif 000011
【図１０】
2012111471.tif 000012
【図１１】
2012111471.tif 000013